(57)【要約】      （修正有）【課題】動作形態が選択可能な選択スイッチ。【解決手段】電動工具1は選択スイッチ20で操作可能な駆動機構を有する。選択スイッチは第１作動状態に対応する第１切換状態と第２作動状態に対応する第２切換状態とを有する。選択スイッチは第１切換状態と第２切換状態との間で移動可能であり、その過程で中間状態となる。選択スイッチと駆動機構との間にはスプリング式の可動連結部材が連結され、選択スイッチが第１切換状態から第２切換状態に移行するとき、可動連結部材のスプリングが駆動機構に対し第１の方向に力を作用させる。選択スイッチには選択スイッチにより移動可能にロック用突起部材が連結される。選択スイッチが中間状態のとき、ロック用突起部材は第１作動状態から第２作動状態への駆動機構の移動を妨げるロック状態となる。選択スイッチが第２切換状態のときロック用突起部材は解除状態となる。【選択図】図１
2013166238.tif 000002
【特許請求の範囲】
【請求項１】
第１作動状態（２３）から第２作動状態（２５）へと第１の方向（３８）に移動可能な切換式の駆動機構（３２，３６）と、
前記駆動機構（３２，３６）の第１作動状態（２３）に対応した第１切換状態（２４）と、前記駆動機構（３２，３６）の第２作動状態（２５）に対応した第２切換状態（２６）とを有し、中間状態（２７）を経て前記第１切換状態（２４）から前記第２切換状態（２６）に移行可能な選択スイッチ（２０）と、
前記選択スイッチ（２０）と前記駆動機構（３２，３６）との間に設けられ、前記選択スイッチ（２０）が前記第１切換状態（２４）から前記第２切換状態（２６）に移行するときに、スプリング（６４）が前記駆動機構（３２，３６）に対して前記第１の方向（３８）に力を作用させるスプリング式の可動連結部材（６２）と、
前記選択スイッチ（２０）によって移動可能に前記選択スイッチ（２０）に連結され、前記選択スイッチ（２０）が前記中間状態（２７）にあるときには、前記第１作動状態（２３）から前記第２作動状態（２５）への前記駆動機構（３２，３６）の移動を妨げるロック状態（２７）となり、前記選択スイッチ（２０）が前記第２切換状態（２６）にあるときには、前記駆動機構（３２，３６）の移動を妨げない解除状態（２６）となるロック用突起部材（７２）と
を備えることを特徴とする手持ち式電動工具。
【請求項２】
前記スプリング式の可動連結部材（６２）は、前記選択スイッチ（２０）が前記第２切換状態（２６）から前記第１切換状態（２４）に移行するときに、前記可動連結部材（６２）に設けられた前記スプリング（６４）若しくは前記スプリング（６４）とは別のスプリングが、前記駆動機構（３２，３６）に対して前記第１の方向（３８）とは逆方向に力を作用させるように、前記選択スイッチ（２０）と前記駆動機構（３２，３６）との間に設けられ、
前記ロック状態（２８）にある前記ロック用突起部材（７２）は、前記第２作動状態（２５）から前記第１作動状態（２３）への前記駆動機構（３２，３６）の移動を妨げ、前記選択スイッチ（２０）が前記第１切換状態（２４）となると、解除状態（２４）に移行する
ことを特徴とする請求項１に記載の手持ち式電動工具。
【請求項３】
工具ハウジング（１８）と、
前記選択スイッチ（２０）が前記第１切換状態（２４）にあるとき及び前記第２切換状態（２６）にあるときには、前記選択スイッチ（２０）を前記工具ハウジング（１８）に係止させ、前記選択スイッチ（２０）が前記中間状態（２７）にあるときには、前記選択スイッチ（２０）の前記工具ハウジング（１８）への係止を解除するラッチ部材（９１）と
を更に備えることを特徴とする請求項１または２に記載の手持ち式電動工具。
【請求項４】
前記駆動機構（３２，３６）は、前記ロック状態（２７，２８）にあるときに前記ロック用突起部材（７２）が当接可能であって前記第１の方向（３８）を向く側面を有したロックピン（４６）を備え、前記解除状態（２４，２６）にあるときには、前記ロック用突起部材（７２）が、前記ロックピン（４６）と重なり合うことのないように、前記第１の方向（３８）に直交する方向（４５）で前記ロックピン（４６）とは異なる位置にある
ことを特徴とする請求項１〜３のいずれか１項に記載の手持ち式電動工具。
【請求項５】
前記第１作動状態（２３）から前記第２作動状態（２５）への移行が生じる際には、前記ロックピン（４６）が第１の軌道（７７）に沿って案内され、前記第１切換状態（２４）から前記第２切換状態（２６）への移行が生じる際には、前記ロック用突起部材（７２）が第２の軌道（７３）に沿って案内され、前記第１の軌道（７７）と前記第２の軌道（７３）とは互いに交差することを特徴とする請求項４に記載の手持ち式電動工具。
【請求項６】
前記選択スイッチ（２０）は中心軸線（７０）周りに回転可能であって、前記ロック用突起部材（７２）は前記中心軸線（７０）から偏心した位置で前記選択スイッチ（２０）に設けられていることを特徴とする請求項１〜５のいずれか１項に記載の手持ち式電動工具。
【請求項７】
前記駆動機構（３２，３６）は、前記第１作動状態（２３）において前記中心軸線（７０）から第２の距離（７８）にある一方、前記第２作動状態（２５）において前記中心軸線（７０）から第３の距離（７９）にあるロックピン（４６）を有し、前記ロック用突起部材（７２）と前記中心軸線（７０）との間の第１の距離（９４）は、前記第２の距離（７８）より短く、且つ前記第３の距離（７９）より長いことを特徴とする請求項６に記載の手持ち式電動工具。
【請求項８】
前記ロック状態（２７，２８）において、前記ロックピン（４６）は、前記第１の方向（３８）または前記第１の方向（３８）とは逆方向に前記スプリング（６４）による力が作用すると、前記ロック用突起部材（７２）に当接することを特徴とする請求項２〜７のいずれか１項に記載の手持ち式電動工具。
【請求項９】
前記ロック用突起部材（７２）は、前記選択スイッチ（２０）に相対回転不能に連結されていることを特徴とする請求項１〜８のいずれか１項に記載の手持ち式電動工具。
【請求項１０】
前記可動連結部材（６２）は、前記中心軸線（７０）周りに回転可能な回転ディスク（７１）を有し、前記スプリング（６４）は、一端（６６）が前記選択スイッチ（２０）に固定されると共に他端が前記回転ディスク（７１）に固定されており、前記回転ディスク（７１）に偏心して設けられた切換ピン（６０）が、前記駆動機構（３２，３６）に設けられて前記中心軸線（７０）に対して傾斜する方向または直交する方向に延設されたリンク機構（４０）内に係合することを特徴とする請求項６または７に記載の手持ち式電動工具。
【請求項１１】
前記スプリング（６４）は、力が作用することにより、第１の回転方向（６７）及び当該第１の回転方向（６７）とは逆の第２の回転方向（６９）に、前記軸線（７０）周りにねじれることが可能であることを特徴とする請求項１０に記載の手持ち式電動工具。
【請求項１２】
前記切換ピン（６０）と前記中心軸線（７０）との間の第４の距離（９５）は、前記ロック用突起部材（７２）と前記中心軸線（７０）との間の第１の距離（９４）より短いことを特徴とする請求項１０または１１に記載の手持ち式電動工具。
【請求項１３】
前記駆動機構（３２，３６）は、前記第１作動状態（２３）において歯付連結部材（２１）と結合し、前記第２作動状態（２５）において前記歯付連結部材（２１）から切り離されることを特徴とする請求項１〜１２のいずれか１項に記載の手持ち式電動工具。
【請求項１４】
前記第１作動状態（２３）では旋削作動を行い、前記第２作動状態（２５）では単にはつり作動を行うことを特徴とする請求項１３に記載の手持ち式電動工具。
【発明の詳細な説明】
【技術分野】
【０００１】
本発明は、複数の作動形態が可能な手持ち式の電動工具に関する。
【背景技術】
【０００２】
電動工具の複数の作動形態には、例えば、単なるはつり動作、ハンマードリル動作、単なる回転またはドリル動作、２つの異なる動作速度などといった２つ以上の動作形態が含まれる。
【発明の概要】
【発明が解決しようとする課題】
【０００３】
動作形態は、選択スイッチを用いて使用者が選択可能でなければならない。また、選択スイッチは作動機構と協働し、適合する駆動機構を機械的に接続したり接続を遮断したりする必要がある。
【課題を解決するための手段】
【０００４】
手持ち式電動工具は、選択スイッチによって操作可能な切換式の駆動機構を有する。この駆動機構は、第１作動状態から第２作動状態へと第１の方向に移動可能であり、一般的にはこの第１の方向とは逆となる第２の方向に向け移動して、第１作動状態に戻すことが可能である。選択スイッチは、駆動機構の第１作動状態に対応した第１切換状態と、駆動機構の第２作動状態に対応した第２切換状態とを有する。選択スイッチは第１切換状態と第２切換状態との間で移動可能であり、その移動過程において中間状態となる。この中間状態は、駆動機構のいずれの作動状態にも対応していない。選択スイッチと駆動機構との間には、スプリング式の可動連結部材が連結されており、選択スイッチが第１切換状態から第２切換状態へと移行するときに、可動連結部材のスプリングが駆動機構に対して第１の方向に力を作用させる。また、選択スイッチが第２切換状態から第１切換状態へと移行するときには、可動連結部材が同じスプリングまたは別のスプリングにより駆動機構に対して第２の方向に力を作用させることができる。選択スイッチには、当該選択スイッチによって移動可能にロック用突起部材が連結されている。選択スイッチが中間状態にあるときには、ロック用突起部材が、第１作動状態から第２作動状態への駆動機構の移動を妨げるロック状態となる。更に、選択スイッチが中間状態にあるときに、ロック用突起部材が第２作動状態から第１作動状態への駆動機構の移動を妨げることも可能である。選択スイッチが第１切換状態または第２切換状態にある場合、ロック用突起部材は、駆動機構の移動を妨げることのない解除状態となる。
【０００５】
使用者が選択スイッチを操作すると、可動連結部材及びその内部のスプリングがねじれる。但し、スプリングのねじれは、選択スイッチがいずれか一方の切換状態に達するまで解除されない。切換状態では、駆動機構が移動し、スプリングのねじれが完全に、または部分的になくなる。但し、使用者が選択スイッチを中間状態に保持すると、ロック用突起部材が駆動機構の移動を妨げ、駆動機構はそれまでの作動状態に保持される。使用者は、選択スイッチが十分に移動していないこと、即ち切換後の状態に達していないことを直感することができるようになっている。スプリングの力は、使用者が選択スイッチから手を離したときに、スプリングの復元力によって選択スイッチをそれまでの切換状態に押し戻す程度の強さに設定されている。
【０００６】
選択スイッチは、それぞれの切換状態で保持可能になっていて、中間位置では保持されないのが好ましい。手持ち式電動工具のハウジングには、ラッチ部材を設けることが可能である。このラッチ部材は、第１切換状態や第２切換状態にある選択スイッチを係止させて保持する一方、中間状態にあるときには選択スイッチが係止しないようになっている。例えば、選択スイッチは、選択スイッチの移動方向に沿って並置された２つの凹部を、その外周面に有しており、回転防止体がこれら凹部内に係合するようになっている。２つの凹部の間の外周面は滑らかに形成されている。例えば、ラッチ部材は、回転止めを有した板バネからなる。同様に、回転防止体を選択スイッチに設け、凹部をハウジングに設けることも可能である。
【０００７】
選択スイッチは、第１の方向、即ち駆動機構の移動方向に対して斜めまたは直角に、第１の切換状態及び第２の切換状態にそれぞれ移動することが可能である。ロック用突起部材も同様に、ロック状態と解除状態との間で、第１の方向に対して斜めまたは直角に移動させることが可能である。好ましい一態様として、選択スイッチは、１つの中心軸線周りに回転可能である。ロック用突起部材は、この中心軸線に対し偏心した位置で選択スイッチに設けられる。選択スイッチは、中心軸線の周囲に沿ってロック用突起部材を回転させる。
【０００８】
一実施形態によれば、駆動機構は、ロック状態においてロック用突起部材が当接可能であって第１の方向に向く側面を有したロックピンを備えており、ロック用突起部材は、好ましくはロックピンの反対側の側面とも当接可能となっている。解除状態において、ロック用突起部材は、駆動機構の移動方向に直交する方向でロックピンから完全にはずれた位置にあり、言い換えれば、駆動機構の移動方向に直交する面に投影した場合に、ロックピンと重なり合うことがない位置にある。第１作動状態から第２作動状態への移行が生じる際には、ロックピンが第１の軌道に沿って案内される。また、第１切換状態から第２切換状態への移動が生じる際には、ロック用突起部材が第２の軌道に沿って案内される。これら第１の軌道と第２の軌道とは互いに交差する。これにより、選択スイッチが中間状態にあるときにはロック状態となる。
【０００９】
ロック状態にある場合、ロックピンは第１の方向に向けてロック用突起部材に当接し、スプリングがロックピンに対し第１の方向に力を作用させる。このようなロック状態は、駆動機構がまだ第１作動状態にあるときに得られる。別のロック状態では、ロックピンが第２の方向に向けてロック用突起部材に当接し、スプリングがロックピンに対し第１の方向とは逆方向に力を作用させる。このようなロック状態は、駆動機構がまだ第２作動状態にあるときに得られる。
【００１０】
ロック用突起部材が回転する場合、その回転は選択スイッチの中心軸線から固定的な第１の距離だけ離れたところで行われる。回転するロック用突起部材は、選択スイッチに相対回転不能に連結されているのが好ましい。一実施形態によれば、駆動機構は突設されたロックピンを有しており、当該ロックピンは、第１作動状態において選択スイッチの中心軸線から第２の距離にあり、第２作動状態において選択スイッチの中心軸線から第３の距離にある。ロック用突起部材と選択スイッチの中心軸線との間の第１の距離は、第２の距離より短く且つ第３の距離より長くなっている。ロック用突起部材は、ロックピンの互いに対向する側面とそれぞれ当接可能であるのが好ましい。この場合、１つのロックピン及びロック用突起部材により、両方向の移動を阻止することができる。また、選択スイッチの移動は、ロックピン及びロック用突起部材によって妨げられない。
【００１１】
回転するロック用突起部材は、第１の方向とは逆方向に向いて選択スイッチの中心軸線から第１の距離にある第１係止面を有する。ロックピンは、第１の方向に向く第２係止面を有しており、第１作動状態では、第２係止面が選択スイッチの中心軸線から第２の距離にあって、第２作動状態では、第２係止面が選択スイッチの中心軸線から第３の距離にある。ロックピンの配置及び寸法は、第２の距離が第１の距離以下となると共に、第３の距離が第１の距離より長くなるように設定される。ロックピン及びロック用突起部材は、第１の方向への移動とは逆方向の移動についても、同様に構成することが可能である。このような構成のため、ロック用突起部材は、第１の方向に向いて選択スイッチの中心軸線から第４の距離にある第３係止面を有している。これに対応し、ロックピンは、第１の方向とは逆方向に向く第４係止面を有している。第４係止面は、第１作動状態において選択スイッチの中心軸線から第５の距離にあり、第２作動状態において選択スイッチの中心軸線から第６の距離にある。ロックピンの配置及び寸法は、第５の距離が第４の距離以上となると共に、第６の距離が第４の距離より短くなるように設定される。
【００１２】
好ましい一態様として、寸法は以下のようにして設定することができる。ロック用突起部材の第１係止面と、当該第１係止面から離間する方向に向く第３係止面とは、第７の距離にあり、この第７の距離はロックピンの幅に相当する。第２作動状態における第２係止面と、第１作動状態にあって第２係止面から離間する方向に向くロックピンの第４係止面との間の距離を第８の距離と規定する。この第８の距離は、ロック用突起部材の幅と、駆動機構の移動距離との和に相当する。第８の距離はロック用突起部材の幅より長くなる。これにより、各作動状態において、スプリング式の可動連結部材が、ロックピンをロック用突起部材の旋回範囲の外に確実に移動させる。いずれの位置においてもロックピンは、ロック用突起部材と固定的に結合された選択スイッチの操作を妨げることはない。
【００１３】
一態様として、可動連結部材は選択スイッチの中心軸線周りに回転可能なロータリディスクを有する。スプリングの一端が選択スイッチに固定され、他端がロータリディスクに固定される。駆動機構に設けられて選択スイッチの中心軸線に対して斜めまたは直角に延設されたリンク機構内に、ロータリディスクに設けられた偏心フィンガが係合する。スプリングは、選択スイッチの中心軸線と同心に設けられた螺旋バネとするのが好ましい。スプリングは、非作動状態から、第１の回転方向、及び第１の回転方向とは逆の第２の回転方向に、ねじれた状態となることが可能となっている。
【００１４】
一態様として、選択スイッチの中心軸線からの偏心フィンガの第９の距離がロック用突起部材と中心軸線との間の第１の距離より短く設定される。
【００１５】
一態様として、切換可能な駆動機構が、第１作動状態において相手側ギヤと噛み合い、第２作動状態において相手側ギヤとの噛み合いを解除する。歯車の１つを、第１の方向の軸線周りに回転可能となるように、駆動機構に取り付けることが可能である。
【００１６】
手持ち式電動工具は、第１作動状態では旋削作動を行い、第２作動状態では単なるはつり作動を行うようにすることが可能である。また例えば、手持ち式電動工具は、空気圧式打撃機構を有したハンマードリルである。更に、２つの作動状態は、例えば、電動ドライバ、電動式鋸、電動研磨機、或いは電動ドリルなどの特に手持ち式電動工具において、回転駆動軸の動作速度を２通りに設定するものとして用いることが可能である。
【図面の簡単な説明】
【００１７】
【図１】ハンマードリルを示す図である。
【図２】選択スイッチが第１切換状態にあるときの駆動機構を示す図である。
【図３】選択スイッチが第２切換状態にあるときの駆動機構を示す図である。
【図４】選択スイッチが移動過程の状態にあるときの駆動機構を示す図である。
【図５】選択スイッチが別の移動過程の状態にあるときの駆動機構を示す図である。
【発明を実施するための形態】
【００１８】
いくつかの例を用い、実施形態及び図面に基づき、以下に本発明を説明する。
特に示さない限り、同一の要素、または機能的の同様の要素は、同じ符号を用いて図に示すものとする。
【００１９】
図１は、手持ち式のはつり作業用電動工具の一例として、ハンマードリル１を示す概略図である。ハンマードリル１は、例えばドリルビット４などの工具の軸端部３を挿入可能な工具ソケット２を有する。打撃機構６及び駆動軸７を駆動するモータ５がハンマードリル１の基本的な動力装置を形成する。使用者は、ハンドル８でハンマードリル１を保持することができ、操作スイッチ９によりハンマードリル１を作動させることができる。ドリル作業の際には、ハンマードリル１が作動軸線１０周りにドリルビット４を連続的に回転させると共に、作動軸線１０に沿い打撃方向１１に向けて、ドリルビット４を被加工物に打ち込む。単なるはつり作業の場合には、駆動軸７がモータ５から切り離される。
【００２０】
打撃機構６は、例えば空気圧式打撃機構からなる。打撃機構６には、励振部材１２及び打撃部材１３が作動軸線１０に沿って移動可能に設けられている。励振部材１２は、カム１４、即ちトグル機構を介してモータ５に連結されており、モータ５によって周期的に直線移動させられるようになっている。励振部材１２と打撃部材１３との間の空気室１５によって形成されるエアスプリングにより、打撃部材１３が励振部材１２の移動に連動して移動する。打撃部材１３は、ドリルビット４の後端を直接打撃してもよいし、中間打撃部材１６を介し、間接的にドリルビット４に衝撃を伝達するようにしてもよい。励振部材１２及び打撃部材１３は、案内管１７内で摺動するピストンとすることができる。
【００２１】
モータ５及び打撃機構６と、好ましくはその他の駆動機構とは、工具ハウジング１８内に配設される。電気エネルギは、商用電源またはバッテリパックにより供給される。
【００２２】
ハンマードリル１は選択スイッチ２０を有しており、この選択スイッチ２０を用い、使用者が駆動軸７をモータ５に連結したりモータ５から切り離したりできるようになっている。一例として示す駆動軸７は、選択スイッチ２０により、駆動ピニオン２２との連結、及び駆動ピニオン２２からの切り離しが可能となっている。
【００２３】
図２の（ａ）には、いくつかの駆動部材と選択スイッチ２０とを側方から示している。概略的に描いた工具ハウジング１８は切断して示されている。図２の（ｂ）は、図２の（ａ）における折り曲げ平面Ｂ−Ｂに沿う断面で駆動機構を示すものである。折り曲げ平面Ｂ−Ｂは、部分的に作動軸線１０を含んで延びた後、選択スイッチ２０が駆動部材の１つと係合する領域では、作動軸線１０から離間して延びている。図２の（ｃ）は、図２の（ａ）における平面Ｃ−Ｃに沿う選択スイッチ２０の断面図である。図２の（ｄ）は、図２の（ａ）における平面Ｄ−Ｄに沿う選択スイッチ２０の長手方向の断面図である。図２の（ｅ）は、図２の（ｂ）の一部を拡大して示す図である。図３の（ａ）〜（ｅ）、図４の（ａ）〜（ｅ）及び図５の（ａ）〜（ｅ）は、それぞれ図２の（ａ）〜（ｅ）と同様の図である。
【００２４】
選択スイッチ２０の操作状態について、例として示す４つの状態に基づき以下に説明する。第１作動状態２３の場合、駆動軸７は切り離されており、ハンマードリル１は単なるはつり機能のみを有している（図２の（ａ）〜（ｅ））。選択スイッチ２０は、この状態に対応した第１切換状態２４にある。選択スイッチ２０は、第１切換状態２４で保持されるのが好ましい。第２作動状態２５の場合、駆動ピニオン２２が駆動軸７を駆動し、ハンマードリル１は旋削機能を有する（図３の（ａ）〜（ｅ））。選択スイッチ２０は、第２切換状態２６にあって、この第２切換状態２６でも同様に保持されるのが好ましい。選択スイッチ２０が第１切換状態２４から第２切換状態２６に切り換えられる場合には、選択スイッチ２０がいくつかの中間状態、即ち移行状態２７を経るが、それらのうち２つの状態を例示する。第１中間状態２７は、第１切換状態２４から第２切換状態２６への切り換えで生じるものであり、選択スイッチ２０は、一例として、これら２つの切換状態の中間の位置に示されている（図４の（ａ）〜（ｅ））。このとき、ハンマードリル１は第１作動状態２３にある。第２中間状態２８の場合も、選択スイッチ２０は、同様に第１切換状態２４と第２切換状態２６との中間状態にあるが、この場合は第２切換状態２６を起点とする移動の際の状態となっている（図５（ａ）〜（ｅ））。このとき、ハンマードリル１は第２作動状態２５にある。
【００２５】
一例として、駆動ピニオン２２は、作動軸線１０周りに回転する傘歯車として構成されている（簡略化のため、歯は図示していない）。駆動ピニオン２２は、駆動側にあるもう１つの傘歯車２９と噛み合う。これら２つの傘歯車２２、２９は、作動軸線１０に沿う方向の移動が生じないように工具ハウジング１８内に取り付けられている。駆動ピニオン２２は、打撃方向１１に向く前部３０にいくつかのツメ３１を有している。これらツメ３１の前方には、作動軸線１０に沿って移動可能であると共に、作動軸線１０周りに回転可能に取り付けられた中空ホイール３２がある。駆動ピニオン２２の方に向く中空ホイール３２の端部には、ツメ３１が係合することにより当該ツメ３１にぴったりと組み合わさる相補部３４が設けられている（図３）。中空ホイール３２は、駆動ピニオン２２に対して少なくとも距離３５だけ移動可能であることにより、ツメ３１と相補部３４とが切り離されるようになっている（図２の（ａ））。中空ホイール３２は、その軸線方向に延設された複数の歯を備えており、これらの歯が駆動軸７と噛み合うようになっている。
【００２６】
中空ホイール３２は、選択スイッチ２０の動きを中空ホイール３２に伝達する駆動リンク部材３６に連結されている。この駆動リンク部材３６は作動軸線１０に沿って移動可能である。作動軸線１０に沿った駆動リンク部材３６の第１の切換方向３８または逆の第２の切換方向３９で、選択スイッチ２０の動きを中空ホイール３２に伝達するため、ピン３７が中空ホイール３２に係合している。
【００２７】
図示した実施形態において、駆動リンク部材３６は、筒状をなして案内管１７の外周に装着されている。駆動リンク部材３６と案内管１７とは、作動軸線１０に沿って互いに相対移動可能であるのが好ましい。駆動ピニオン２２は中空であって、筒状の駆動リンク部材３６の外周に配設されている。このような構成によって、駆動リンク部材３６は、駆動ピニオン２２の回転運動に影響を及ぼすことなく、駆動ピニオン２２を貫通して移動することができる。一実施形態として、駆動リンク部材３６を中空ホイール３２に一体的に接着、即ち固定してもよい。
【００２８】
駆動リンク部材３６はリンク機構４０を備えている。リンク機構４０は、駆動リンク部材３６の切換方向３８とは異なる方向、即ち、図示した例では作動軸線１０に直交する方向に延設されている。第１バー４１が切換方向３８においてリンク機構４０を規制する摺動面４２を有する一方、第２バー４３が切換方向３８とは逆方向においてリンク機構４０を規制する摺動面４４を有する。これら２つの摺動面４２、４４は、互いに平行であるのが好ましく、換言すれば、リンク機構４０は形成する移動経路の幅が一定になっている。この移動経路は、例えば直線状に形成することができる。図示するように、リンク機構４０の１つの延設方向４５は、切換方向３８に対して厳密に直角としてもよいし、切換方向３８に対する角度を、例えば４５度〜８０度の範囲に設定してもよい。これに代わる実施形態では、駆動リンク部材３６に形成した溝によりリンク機構４０が構成される。
【００２９】
駆動リンク部材３６は、リック機構４０から固定的な距離４７に配置されたロックピン４６を有する。このロックピン４６は、切換方向３８またはその逆の切換方向３９において、リンク機構４０に対して距離４７だけ離れるように配置するのが好ましい。ロックピン４６は、切換方向３８に向く第１係止面４８を有し、その裏側には、逆の切換方向３９に向く第２係止面４９を有する。第１係止面４８及び第２係止面４９は、リンク機構４０の移動方向４５、即ち摺動面４２及び摺動面４４に平行であるのが好ましい。ロックピン４６の幅５０、即ち切換方向３９における第１係止面４８と第２係止面４９との間隔は、連結及び切り離しのために駆動ピニオン２２に対して中空ホイール３２が移動可能な距離３５より短くなっている。リンク機構４０は、リンク機構４０の延設方向において、ロックピン４６よりも長いのが好ましい。
【００３０】
選択スイッチ２０は、リンク機構４０に係合する切換ピン６０を有する。この切換ピン６０は、選択スイッチ２０によって画成される軌道６１に沿って移動する。この軌道６１は、リンク機構４０が形成する移動経路と方向が異なるため、切換ピン６０の移動によって、切換方向３８及び切換方向３９の一方に向かう力が駆動リンク部材３６に作用する。切換方向３８または切換方向３９への駆動リンク部材３６の移動が妨げられなければ、駆動リンク部材３６が、この力によって、対応する切換方向３８または切換方向３９に移動する。
【００３１】
選択スイッチ２０は可動連結部材６２を有しており、この可動連結部材６２を介し、使用者が把持する把持部材６３に、切換ピン６０が非固定的に連結されている。可動連結部材６２は、例えば機械的なスプリング６４からなるエネルギ蓄積部材を備えている。スプリング６４の一端６５は把持部材６３に固定されており、スプリング６４の他端６６は切換ピン６０に固定されている。可動連結部材６２により、切換ピン６０が把持部材６３の操作方向６７に追従して動くようになっている。切換ピン６０の移動が妨げられると、把持部材６３が回動したときに加わる力が可動連結部材６２に蓄えられる。切換ピン６０の移動の妨げが解除されると、切換ピン６０は可動連結部材６２により駆動されることで、把持部材６３の動きに追いつく。
【００３２】
単一のスプリング６４を用いた好ましい例に代えて、選択スイッチ２０内に２つのスプリングを組み込むことも可能である。例えば、選択スイッチ２０が操作されると、一方のスプリングが第１の操作方向６７にねじれると共に、他方のスプリングが、例えば係止面から離れることにより、把持部材６３または回転ディスク６８から第１の操作方向６７に切り離される。逆の第２の操作方向６９に操作された場合、上記他方のスプリングがねじれ、上記一方のスプリングが力を受けない状態となる。また、スプリングは、限られた小さな設置空間において高いバネ定数を実現するため、金属製のスプリングであるのが好ましいが、ゴム紐やプラスチック製のスプリングも同様に用いることが可能である。
【００３３】
図示した選択スイッチ２０は、把持部材６３が中心軸線７０周りに回転可能な回転式スイッチである。選択スイッチ２０は工具ハウジング１８に取り付けられており、中心軸線７０は、駆動リンク部材３６や中空ホイール３２とは異なり、工具ハウジング１８に対して移動しないようになっている。
【００３４】
例として示す選択スイッチ２０の構造は、把持部材６３に対して中心軸線７０周りに相対回転可能な回転ディスク７１を備えている。この回転ディスク７１は、選択スイッチ２０の円筒状のハウジング６８内に配設することができる。切換ピン６０は、回転ディスク７１に偏心して配置される。可動連結部材６２の力伝達・エネルギ蓄積部材はスプリング６４であり、好ましくは中心軸線７０と同軸状に配置されたコイルスプリングである。スプリング６４の一端６５は把持部材６３に固定され、スプリング６４の他端６６は回転ディスク７１に固定されている。把持部材６３の回転によってスプリング６４にねじれが生じると、このねじれは直ちに回転ディスク７１の回転に変換され、回転ディスク７１の移動が妨げられている場合には、回転ディスク７１の回転が遅れて発生することになる。
【００３５】
選択スイッチ２０は、把持部材６３に対して相対移動しないように配設されたロック用突起部材７２を有する。従って、ロック用突起部材７２は、選択スイッチ２０により直に駆動されるようになっており、換言すれば、切換ピン６０とは異なり、常に把持部材６３に直ちに追従して動くようになっている。切換ピン６０とロック用突起部材７２とは、可動連結部材６２を介して分離されている。
【００３６】
ロック用突起部材７２は、切換方向３８、３９に対して交差する軌道７３に沿って移動する。例示した回転式の選択スイッチ２０の場合、ロック用突起部材７２が、中心軸線７０を中心として円弧状をなす軌道７３に沿って案内される。ロック用突起部材７２は、中心軸線７０の方を向く第１ロック面７４と、中心軸線７０から離間する方向を向く第２ロック面７５とを有する。ロック用突起部材７２の幅７６、即ち第１ロック面７４と第２ロック面７５との間隔は、距離３５より短くなっている。ロックピン４６の幅５０とロック用突起部材７２の幅７６との和は、距離３５よりも幾分、例えば５〜１０％だけ短いのが好ましい。
【００３７】
選択スイッチ２０は、ロック用突起部材７２の軌道７３と、切換方向３８、３９に沿って移動するロックピン４６の軌道７７とが交差するように構成されている。ロックピン４６の軌道７７は、工具ハウジング１８の固定点、例えば選択スイッチ２０の中心軸線７０に基づいて規定することができる。ロックピン４６は、第１作動状態２３にあるときには中心軸線７０から第１の距離７８に、また第２作動状態２５にあるときには第２の距離７９の位置にある。これら２つの距離７８、７９は、切換方向３８に沿った計測値である。図示した実施形態において、第１の距離７８は第２の距離７９より長い。移動行程、即ち２つの距離７８、７９の差は、距離３５に相当する。
【００３８】
第１切換状態２４の場合（図２の（ａ）〜（ｅ））、ロック用突起部材７２は、切換方向３８に直交する面に投影したときにロックピン４６とロック用突起部材７２とが重なり合わない程度に、切換方向３８に直交する方向でロックピン４６とは異なる位置にある。このため駆動リンク部材３６は、ロック用突起部材７２によって妨げられることなく、切換方向３８に移動可能となる。同様に、第２切換状態２６の場合（図３の（ａ）〜（ｅ））も、切換方向３８に直交する面への投影でロックピン４６とロック用突起部材７２とは重なり合わず、駆動リンク部材３６は、ロック用突起部材７２によって妨げられることなく、逆方向の切換方向３９に移動可能となる。ロックピン４６の長さ８０、即ちロック用突起部材７２の軌道７３に沿った寸法は、第１切換状態２４の場合のロック用突起部材７２と、第２切換状態２６の場合のロック用突起部材７２との間の距離８１より幾分短くなっており、その差は５〜１０％の範囲内であるのが好ましい。
【００３９】
第１切換状態２４から第２切換状態２６へと変化する際、ロック用突起部材７２は、ロックピン４６の軌道７７を横切る。図４の（ａ）〜（ｅ）に一例として中間状態２７を示す。ロック用突起部材７２の第２ロック面７５は、ロックピン４６の第１係止面４８に当接している。ロックピン４６の第１切換方向３８への移動が妨げられることにより、駆動リンク部材３６の移動が妨げられる。このため、駆動リンク機構３６は第１作動状態３６のままとなる。把持部材６３が操作されると、可動連結部材６２のスプリング６４がねじれて張力が発生する。スプリング６４は切換ピン６０に力を作用させ、リンク機構４０に対し切換ピン６０を第１切換方向３８に向けて押圧する。使用者が把持部材６３を更に第２切換状態２６まで回すと、上記の妨げが解除される。そして、可動連結部材６２のねじれが解放され、第２切換状態２６となるまで（図３の（ａ）〜（ｅ））、第１切換方向３８に駆動リンク機構３６を押し続ける。
【００４０】
第２切換状態２６から第１切換状態２４へと変化する際、ロック用突起部材７２は、いくつかの中間状態２８（図５の（ａ）〜（ｅ））で、同様にロックピン４６の軌道７７を横切る。ロック用突起部材７２の第１ロック面７４がロックピン４６の第２係止面４９に当接することにより、第２作動状態２５から第２切換方向３９に向けての移動が妨げられる。把持部材６３が第２の操作方向６９に動くと、可動連結部材６２にねじれが生じることにより、切換ピン６０が駆動リンク機構３６に対して第２切換方向３９に力を作用させる。そして、把持部材６３が第２切換状態２６に達すると、直ちにロック用突起部材７２による妨げが解除され、駆動リンク機構３６が可動連結部材６２によって第１切換方向３８に押される。
【００４１】
図示した選択スイッチ２０は、回転式スイッチとして構成され、工具ハウジング１８に対して固定された中心軸線７０を有している。これに代わる選択スイッチ２０の実施形態は、工具ハウジング１８において切換方向３８に対し交差するように移動可能な把持部材を有したスライド式スイッチである。この場合、ロック用突起部材がこの把持部材に連結され、ロックピン４６の軌道７７を横切る軌道に沿って移動する。切換方向に沿って作用するスプリングにより、選択スイッチの切換ピンが把持部材に連結されており、この切換ピンがリンク機構４０と係合する。
【００４２】
別の実施形態では、選択スイッチ２０がスライド式スイッチとして構成される。選択スイッチの把持部材は切換方向３８に直交する方向にしか移動することができない。ロック用突起部材はロックピンの軌道７７を横切って移動する。選択スイッチのロックピンは、駆動リンク機構３６のリンク部材に係合する。このリンク部材は切換方向３８とは逆の方向に移動する。切換ピンはスプリングによって把持部材に連結されている。リンク部材の移動方向と切換ピンの軌道との交差により、切換方向３８に沿って作用する力がスプリングによって生じる。
【００４３】
選択スイッチ２０は、把持部材６３に固定的に結合されたカムディスク９０を有するのが好ましい。スプリングで付勢された回転防止体、即ちボール体９２を有したラッチ部材９１が工具ハウジング１８に取り付けられている。回転防止体であるボール体９２は、第１切換状態２４及び第２切換状態２６において、カムディスク９０の凹部９３内に係合可能となっている。また、回転防止体であるボール体９２は、第１切換状態２４及び第２切換状態２６の２つの状態の途中、即ちいずれの中間状態２７、２８においても、上記のようなカムディスク９０への係合は生じないようになっている。選択スイッチ２０に設けるカムディスク９０に代えて、工具ハウジング１８に形成した凹部に係合するスプリング付勢式の回転防止体を選択スイッチ２０に設けてもよい。
【図１】
2013166238.tif 000003
【図２】
2013166238.tif 000004
【図３】
2013166238.tif 000005
【図４】
2013166238.tif 000006
【図５】
2013166238.tif 000007
【外国語明細書】
2013166238000001.pdf